(57)【特許請求の範囲】
【請求項１】
さまざまなサイズおよび形状の光ビームを投射する装置において、
光路に沿ってほぼ平行な光を発生する光源と、
光学セグメントのアレイを備え、前記光源からの光が複数の光領域に分割される前記光路中のエリアを生成する一次光学素子と、
各拡散素子が拡散素子セグメントのアレイを含む少なくとも１つの拡散素子を備え、前記光路中で前記一次光学素子より後に位置付けされる拡散手段とを具備し、
前記各光領域は前記光学セグメントを通った後にエリアが減少し、
前記拡散手段は、前記拡散素子が前記光領域に突き当たらない非配置位置から、前記拡散素子が前記光領域に突き当たる配置位置に前記拡散手段を移動させることにより配置され、
前記拡散素子の影響の程度は、前記光領域上に前記拡散素子が突き当たる量を制御することにより制御され、
前記一次光学素子の光学セグメントのアレイが放射状アレイであり、
前記拡散手段の拡散素子セグメントのアレイが放射状アレイである光投射装置。
【請求項２】
第１の拡散素子中の前記拡散素子セグメントの数が前記光学セグメントの数の半分に等しく、前記第１の拡散素子中の前記拡散素子セグメントが前記第１の拡散素子の左部および右部の象限中に等しく分散され、
第２の拡散素子中の前記拡散素子セグメントの数が前記光学セグメントの数の半分に等しく、前記第２の拡散素子中の前記拡散素子セグメントが前記第２の拡散素子の頂部および底部の象限中に等しく分散される請求項１記載の光投射装置。
【請求項３】
光投射装置から投射される光が前記一次光学素子において方向付けられる光の投射方向とほぼ同じ投射方向を持つように前記光を再方向付けするために、前記光路中で前記拡散手段より後に二次光学素子がインストールされる請求項１記載の光投射装置。
【請求項４】
前記一次光学素子がレンズセグメントを備えている請求項１記載の光投射装置。
【請求項５】
前記一次光学素子が反射セグメントを備えている請求項１記載の光投射装置。
【請求項６】
前記拡散素子セグメントが、入射光を屈折する不規則性表面を備え、前記不規則性表面は、屈折および拡散が放射方向となるように前記光軸に関してほぼ放射方向に向けられている請求項１記載の光投射装置。
【請求項７】
前記拡散素子セグメントの前縁における入射光の屈折が、前記拡散素子セグメントの後縁における入射光の屈折よりも少ないように、前記前縁上の不規則性表面の不規則性が、前記後縁上の不規則性表面の不規則性よりも小さい請求項６記載の光投射装置。
【請求項８】
前記拡散素子セグメントが、前記ほぼ平行な光を屈折する不規則性表面を備え、前記不規則性表面は、屈折および拡散が放射方向となるように前記光軸に関してほぼ放射方向に向けられている請求項１記載の光投射装置。
【請求項９】
前記拡散素子セグメントの前縁における前記ほぼ平行な光の屈折が、前記拡散素子セグメントの後縁における前記ほぼ平行な光の屈折よりも少ないように、前記前縁上の不規則性表面の不規則性が、前記後縁上の不規則性表面の不規則性よりも小さい請求項８記載の光投射装置。
【発明の詳細な説明】
【０００１】
【発明の属する技術分野】
本発明は一般的にエンターテイメントおよび建築上の照明に関し、特に、光源から放出される光ビームの発散または成形またはこの両者を変化させる装置に関する。
【０００２】
【従来の技術】
劇場、テレビ、ツアー作品、および建築用の照明光源には異なる発散度で光ビームを放射する照明装置が含まれていることが多い。光ビームの発散は特定の所望する芸術的目的を得るために使用される。芸術的な要求は、ビーム発散を静的なままにすることや、ビーム発散を時間に対して変化させることかもしれない。変化させる費用や速度、変化のスムーズさ、コンパクトなサイズおよび重さ、光が透過する効率が、ビーム発散モジュールの実際の用途におけるすべての要因である。さらに、円形から長円形に投射ビームの形状を変化させることが、ビーム発散モジュールの所要の属性である。ビームに垂直でない表面上に光を投射する際に円形スポットを作り出すために形状を変化させることが必要である。
【０００３】
以前では、光源タイプを手で交換することにより光源の発散を変化させ、特定の芸術的結果を得ていた。得ようとする各タイプの発散に対して特定のランプを使用すると、パフォーマンスの間に光源の発散を変化させることができない。したがって、所要の芸術的結果を達成するためにさらに総合的な照明器具が必要である。
【０００４】
長円形状のビームの方向を変化させるために、光源の放射方向を手で変化させる必要がある。
【０００５】
したがって、発明者は光ビームの発散を遠隔的に変化させるいくつかの方法を生み出した。本発明者であるRichardson氏に対して１９８９年８月８日に発行された米国特許第４，８５５，８８４号は、ビーム発散を変化させる改善された反射器を開示している。この発明はビームの形状の変更を許容しない点で制限されており、また生成されるサイズの範囲で制限される。
【０００６】
Bornhorst氏に対して１９９０年１１月２０日に発行された米国特許第４，９７３，３０６号は、光ビームの横から導入される一連の拡散パネルを開示している。これはさまざまなビーム発散を作り出すが、均一な照度のビーム範囲を作り出さない。さらに、このシステムには費用がかかり信頼性がない複雑なメカニズムが含まれている。またこのシステムはビーム形状を変化させる方法を提供しない。
【０００７】
Bornhorst氏に対する米国特許第５，０７３，８４７号は他の拡散メカニズムを開示している。一連の回転可能な拡散パネルが放射アレイに配置されている。パネルを回転して光路に入れると光ビームが拡散される。このメカニズムも高価であることが分かっており、ビームを成形する方法を提供しない。また、狭い拡散から完全な拡散までスムーズに遷移させるには不十分な範囲のビームサイズしかない。
【０００８】
Belliveau氏らに対して１９９７年９月９日に発行された米国特許第５，６６５，３０５号は、ビーム発散またはビーム成形またはこの両者を変化させる１以上のレンズ状パネルを間に挟む方法を開示している。これらのパネルは組み合わされた時に相互に直交するように方向付けられている。この方法ではビームサイズまたは形状を連続的に変化させることができない。
【０００９】
【発明が解決しようとする課題】
コンパクトで、製造および維持に費用がかからない光ビーム発散および成形モジュールを提供することが本発明の目的である。このモジュールはシンプルな構成であり、したがって非常に信頼性がある。
幅広い範囲のビーム発散をもたらし、すばやくかつスムーズに１つの発散から他の発散に変化させるモジュールを提供することが本発明の別の目的である。
効率よく光を透過する装置を提供することが本発明のさらに別の目的である。
【００１０】
【課題を解決するための手段】
本発明は光ビームを拡散して、投射ビームのサイズおよび形状を修正する照明モジュールである。この装置には光源と光を光路に沿って方向付ける反射器とが備えられている。一次レンズ素子は光が光路中の拡散アセンブリエリアに入る時に影響を受ける光領域の断面積を減少させる。拡散アセンブリ中の拡散素子は、ユーザにより要望される形状およびサイズの光ビームを生み出すために、組み合わせや程度を変化させて配置される。レンズセグメントの屈折作用により拡散素子を光路中に物理的に位置付けることができるが、拡散素子セグメントがレンズセグメントと整列するように拡散素子を回転させるまでは拡散素子は光に影響を与えずに、照明モジュールから投射されている光を変化させる。
【００１１】
本発明の効果は、ユーザがさまざまなサイズおよび形状の光ビームを投射することができる単一でコンパクトなユニットを提供することである。これにより複数個の装置を使用する必要がなくなる。
本発明の他の効果は、シンプルで製造するのに費用がかからず、したがって信頼性があり維持が容易なことである。
本発明のさらに他の効果は、レンズセグメントにより拡散素子を光路中にインストールすることができ、非配置位置にある時に拡散素子は影響を与えないことである。
本発明のこれらおよび他の目的ならびに効果は、ここに説明され、図面に図示されているような発明を実施するために現在知られているベストモードの説明の観点において当業者に明らかになるであろう。
【００１２】
【発明の実施の形態】
本発明は図１および図４に図示されているように光源とともに使用される光ビーム発散および成形制御モジュールである。最初に図１を参照すると、システムの動作を説明する際の参照のために光源１０が示されている。光源は任意のタイプまたはサイズでよく、当該技術分野の当業者により知られているものである。光源１０は反射器１２内に位置付けられている。反射器１２は光源１０の場合と同じように任意の普通タイプまたはサイズのものでよい。図面にはパラボラ反射器が描かれている。集光レンズを備えた光源のような、ほぼ平行光を発生する任意の光源もモジュール中で使用することができる。これらの光源は当業者によく知られている。
【００１３】
入射光線１４（図４参照）は、一次光学素子１６、拡散素子１８および二次光学素子２０を含む光路に沿ったほぼ平行経路で反射器１２から放射する。光線は出射光線２２として二次光学素子２０を出る。
【００１４】
一次光学素子１６のレンズセグメント１６１が、光路縦軸に沿った位置から見ているように図５において詳細に示されている。本発明の好ましい実施形態では、一次光学素子１６は２４個の同一レンズセグメント１６１から構成されている。このレンズセグメント１６１はくさび形であり、一次光学素子１６の中心１６２の回りに放射状に互いに隣接して位置付けられている。各レンズセグメント１６１の焦線１６３は一次光学素子１６の中心１６２から始まり、レンズセグメント１６１の縦の中心に沿って外側に放射している。一次光学素子１６は一般的に成形プロセスにより、固体片の材料から形成される単一素子であることが好ましい。図６および図７は一次光学素子に対する別の構成を示している。
【００１５】
図８は一対の典型的なレンズセグメント１６１の側面図を示す光線トレースである。示されているものは左から入り、レンズセグメント１６１に突き当たっている入射光線１４である。屈折光線２４はレンズセグメント１６１から出て、焦点２６に収束する。すべての焦点２６はレンズセグメント１６１の対応する焦線１６３上に存在する。その後光線は焦点２６を出ると発散光線２８となり、二次光学素子２０のレンズセグメント２０１に突き当たる。二次光学素子２０は一次光学素子１６と同一のものとして示されており、焦点２６に関して一次光学素子１６と鏡面対称とされている。
【００１６】
二次光学素子２０は実際には一次光学素子１６とは異なっていてもよい。この差異は光モジュールの特定の適用に基づく。ユーザがほぼ平行な光を要求しないのであれば、ユーザは二次光学素子をまったく取り除くことができ、このようにするとさらに拡散した光ビームとなる。この状況は図１１に示されている。
【００１７】
出射光線２２は二次レンズセグメント２０１から放射し、その経路は光路軸とほぼ平行である。ここに示されている光学素子のタイプはシンプルな非対称両凸タイプであるが、他の多くのタイプを使用して所要の結果を得てもよい。光分野の当業者は無限数の光学素子を考案して、断面積の減少または光線の再方向付けまたはこの両者についての所要の結果を得ることができる。
【００１８】
本発明の光学素子の第１の代替実施形態が図６および図９に示されている。図６は、一次光学素子１６’の中心１６２’から放射状に広がっている２つの反射セグメント１６１’を示している。オープンスペース１６３’の幅は反射セグメント１６１’の角度幅と等しいかこれよりも小さい。図６では、オープンスペース１６３’は反射セグメント１６１’と比較して等しい幅で示されている。反射セグメント１６１’は一次光学素子１６’の中心１６２’の回りに等しい間隔を空けて位置付けられており、オープンスペース１６３’が反射セグメント１６１’を分離している。
【００１９】
図９は光線トレースであり、第１の代替実施形態の装置の動作を側面から示している。入射光線１４は妨げられずに一次反射光学素子１６’のオープンスペース１６３’を通る（２つの反射セグメント１６１’が示されている）。光線は妨げられずに二次反射光学素子２０’中の等価な開口も通る。二次反射光学素子２０’が光路軸に沿って反対方向に向けられていることを除いて、二次反射光学素子２０’は一次反射光学素子１６’と等価である。第１の好ましい実施形態と同様に、二次反射光学素子２０’は特定の適用の要求に基づいて一次反射光学素子１６’と異なる構成をとってもよい。
【００２０】
入射光線１４は一次反射光学素子１６’の反射セグメント１６１’の反射面で反射する。上側の入射光線１４は、一次反射光学素子１６’の上側反射セグメント１６１’の下側表面と二次反射光学素子２０’の下側反射セグメント２０１’の上側表面との間のオープンスペースに渡って反射する。下側入射光線１４は、下側一次反射セグメント１６１’の上側表面で反射し、オープンスペースを横切り、上側二次反射セグメント２０１’の下側表面で反射する。二次反射セグメント２０１’の表面は一次反射セグメント１６１’の表面と平行であるので、出射光線２２は入射光線１４の経路と平行な経路へ伝播する。光線の中には光学素子により影響を受けないオープンスペースを通るものもあることに着目すべきである。光学素子前後の光線は方向が平行であるが、位置が再構成されていることにも着目すべきである。すなわち、上側入射光線は下側出射光線になり、下側入射光線は上側出射光線になる。
【００２１】
第２の代替実施形態が図７および図１０に示されている。図７は第１の代替実施形態の光学素子１６’と類似した光学素子１６”を示している。しかしながら、光学素子１６”は光学素子１６’のものよりも高い個々の反射セグメント１６１”を持っている。第１の代替実施形態と同様に、反射セグメント１６１”はオープンスペース１６３”により分離されており、光学素子１６”の中心１６２”の回りに放射状に位置付けられている。
【００２２】
図１０は光線トレースであり、一次光学素子１６”の２つの反射セグメント１６１”の動作を側面から示している。入射光線１４の中には妨げられずに上側反射セグメント１６１”の下側表面と下側反射セグメント１６１”の上側表面との間のオープンスペースを通るものもある。上側入射光線１４は反射光学素子１６”の上側反射セグメント１６１”の下側表面で反射する。下側入射光線１４は下側反射セグメント１６１”の上側表面で反射する。照明適用の中には、より高い反射セグメント１６１”により提供される狭い角度の発散が好ましいものがある。
【００２３】
示されている両代替実施形態は、第１の好ましい実施形態の屈折素子とはまったく異なっており、反射素子を使用する。反射素子を使用する任意の実施形態では、特定の適用に最もよく適合するように反射表面の角度を変更することにより、光の発散量を変化させることができる。したがって、これらの反射素子における修正および欠点は屈折素子における同様な変化よりも光路においてさらに顕著な影響を持つ。反射の角度は入射角に等しいので、反射セグメントの角度における１°の変化は光路において２°の変化をもたらす。
【００２４】
本発明の一次光学素子１６，１６’，１６”の各実施形態には、影響を受ける光領域の断面積エリアを少なくとも半分減少させるレンズまたは反射セグメント１６１，１６１’，１６１”が含まれている。レンズ内で複数のセグメントを利用する一次光学素子の構成は、光フィルタまたは他の光学素子が配置されるまでは光に影響を与えないようにしながら、光フィルタまたは他の光学素子を光路中にインストールできるようにする。いったん配置されると、フィルタは投射された光の特性を変化させる。
【００２５】
本発明のすべての光学構成部品は図面では放射アレイとして図示されているが、図２および図３に図示されているように、線形またはマトリクスアレイとして容易に構成することができる。アレイが線形またはマトリクスである場合には、放射アレイにより使用される回転運動とはまったく異なって、拡散素子の配置は線形運動による。放射拡散素子の配置は以下の“発明の動作”セクションで説明する。
【００２６】
図８を参照すると、拡散アセンブリ１８が光路の中央に位置付けられている。拡散素子は、光路の縦軸に対して垂直に向けられている。拡散素子が非配置位置にある時には、光線は一次光学素子１６を出て、レンズセグメント１６１により焦点に収束されることから、拡散素子は屈折光線の経路中にない。
【００２７】
図１２は拡散アセンブリ１８で使用される水平拡散素子１８０の前面図を示している。この構成は、利用することができる複数タイプの拡散素子の内の任意のものを用いた典型的なものである。水平拡散素子１８０の典型的なセグメント１８０１はくさび形であり、拡散素子１８０の中心１８０２の回りに放射状に位置付けられている。複数のくさび形拡散素子セグメント１８０１がフレーム１８０４に取り付けられている。拡散素子セグメント１８０１は非拡散エリア１８０３により分離されている。この非拡散エリア１８０３は透明な材料のエリアあるいは示されているように何らかの材料がないオープンエリアのいずれであってもよい。利用される拡散素子セグメント１８０１の数は光学素子中で利用されるレンズセグメントまたは反射セグメントの数の半分に等しい。
【００２８】
使用される拡散素子の中心および使用されるすべての光学素子の中心は同軸である。これらの中心を含む線は装置中の光路の中心線を規定する。拡散素子のフレーム１８０４は光路の中心線に関して回転するように構成されている。任意の数の方法を選択して、拡散素子１８０にこのタイプの動きをするようにさせることができる。拡散素子１８０の内の任意のものを光軸に関して回転運動させると、拡散素子が光路に導入されて光を遮ることになる。
【００２９】
垂直放射拡散素子１９０が図１３に示されている。水平放射拡散素子１８０の左および右の象限に位置付けられている水平拡散素子セグメント１８０１とは異なって、垂直放射拡散素子１９０の頂部および底部の象限に垂直拡散素子セグメント１９０１が位置付けられるように垂直放射拡散素子１９０が方向付けられていることを除いて、この垂直放射拡散素子１９０は水平放射拡散素子１８０と構成が同一である。
【００３０】
すべての拡散素子セグメント１８０１，１９０１は（図１５に示されているように）前縁と、（図１６に示されているように）後縁を備えている。セグメントの前縁は拡散素子１８，１９の時計回りの回転を仮定することにより規定されている。セグメントの前縁上の不規則性表面１８１は、後縁上のものよりも不規則性の著しさが少ないことが図１４から理解することができる。
【００３１】
前縁の断面が図１５に示されている。入射光線４８が拡散セグメントの表面に突き当たるように示されている。入射光線４８は拡散セグメントの表面に対してほぼ垂直である。拡散セグメントの不規則性表面１８１は、その最初の方向からの光を屈折させる。不規則性表面１８１の不規則性は連続的、非連続的、線形、非線形、ランダム、あるいは光を拡散する任意のタイプとすることができる。これらのタイプの不規則性を使用して光を拡散することは技術的によく知られている。
【００３２】
屈折光４９は角度ａで拡散セグメントを出る。不規則性表面１８１は、光軸に関してほぼ放射方向に向けられている。これは屈折をもたらすので、拡散は放射方向のみになされる。前縁上では不規則性表面は不規則性が緩やかであることから、後縁上のより大きな不規則性により引き起こされるさらに顕著な放射屈折とは異なって、光の放射屈折はより少なくしか生じない。したがって、光の放射拡散はセグメントの前縁上よりもセグメントの後縁上の方がより大きくなる。
【００３３】
不規則性表面１８１の不規則性の量は、拡散セグメントの前縁から後縁まで放射状に変化する。変化率は連続的でもあるいは非連続的であってもよく、任意の率で変化してもよい。不規則性表面の不規則性の大きさの変化関数は発明の特定の適用に依存する。
【００３４】
不規則性がより大きな不規則性表面１８１を持つ後縁の断面が図１６に示されている。ほぼ垂直な入射光線４８が拡散セグメントの表面に突き当たるように示されている。後縁上の不規則性表面１８１の不規則性のサイズがより大きいことから、屈折光４９は拡散セグメントを角度ｂで出る。拡散セグメントの後縁上の不規則性がより大きいことから後縁出射角ｂは前縁出射角ａよりも大きい。
【００３５】
装置において等価な結果を得るために、当業者に知られている多くの手段の任意のもので拡散素子を製造することができる。いくつかの適用に対しては、拡散素子はその表面全体に渡って一定の拡散率のものであってもよい。
【００３６】
発明の動作
図８ないし図１１を参照すると、拡散素子１８０，１９０が非配置位置にある場合、拡散素子セグメント１８０１，１９０１の中心線は、一次光学素子１６，１６’，１６”の焦線間またはオープンスペース間に整列している。拡散素子１８０，１９０を配置しようとする場合には、拡散素子セグメント１８０１，１９０１が一次光学素子１６，１６’，１６”のレンズまたは反射セグメントからの屈折または反射光線を横切り始めるように拡散素子１８０，１９０が回転される。再度説明すると、線形またはマトリクスアレイが利用されると、拡散素子１８０，１９０の光路への動きは回転運動とはまったく異なって線形運動となる。
【００３７】
図１７ないし図２０では、拡散素子セグメント１８０１，１９０１が光領域上に突き当たり始めるように拡散素子１８０，１９０が回転されている。すべての実施形態では、拡散アセンブリ１８はエリア３０中の光路に位置付けられ、このエリア３０ではレンズまたは反射セグメント１６１，１６１’，１６１”が、光領域の断面積を減少させている。したがって、複数の拡散素子１８０，１９０の内の１つを回転させると、拡散素子が光に影響を与えるようになる。拡散素子からの影響がさらに望まれる場合には、拡散素子セグメント１８０１，１９０１が完全に光路に入るように拡散素子をさらに回転させる。拡散アセンブリ１８中のすべての拡散素子１８０，１９０がこのように配置される。
【００３８】
再度説明すると、減少した断面積の複数の領域に光を分ける一次光学素子のレンズまたは反射セグメントが、拡散素子１８０，１９０のこの独特な配置を可能にするものである。拡散素子１８０，１９０が光路内に回転されるまでは光にとって拡散素子１８０，１９０は見えない。したがって、光の拡散度合は拡散素子の移動の程度に関係している。
【００３９】
減少エリアの中または外への拡散素子１８０の移動は手動で行うことができ、あるいは、遠隔またはコンピュータ制御を利用するモータまたはソレノイドにより制御することができる。モータまたはソレノイド制御の技術分野における当業者は、拡散素子１８０，１９０の配置を制御する非常に多くの方法を考案することができる。
【００４０】
水平放射拡散素子１８０を回転して光路に入れると、光は長円形ビームに拡散され、その長い方の軸は水平方向になる。垂直放射拡散素子１９０が光路中に回転されると、光は長円形ビームに拡散され、その長い方の軸は垂直方向になる。両拡散素子１８０，１９０を回転して光路に入れると、光ビームの直径が増加する。再度説明すると、線形またはマトリクスアレイが利用されると、回転とはまったく異なって、拡散素子１８０，１９０の光路に入る運動は線形運動となる。
【００４１】
拡散アセンブリ１８全体の運動または水平放射拡散素子１８０および垂直放射拡散素子１９０の両者の同時運動は、水平および垂直以外の角度でビームの成形を可能にする。拡散アセンブリ１８全体を４５°回転させるか、あるいは水平放射拡散素子１８０および垂直放射拡散素子１９０の両者を同時に４５°回転させると、０°および９０°とはまったく異なって、４５°および１３５°で光ビームが成形されることになる。
【００４２】
本発明の光ビーム発散および成形モジュールは、図２１に図示されているように、既存の従来の照明器具に対して容易に追加することができる。図２２に図示しているように、拡散アセンブリを照明器具の製品に組み込むことによっても、本発明の光ビーム発散および成形モジュールを構成することができる。
【００４３】
上記の開示は限定しようと意図するものではない。当業者は、本発明の教示を保持しながら装置の多くの修正または代替を成し得ることに容易に気づくであろう。したがって、上記の開示は特許請求の範囲の制限によってのみ限定されると解釈すべきである。
【図面の簡単な説明】
【図１】付随する光源を備えた本発明の発散および成形モジュールを示す図である。
【図２】線形アレイシステムを示す図である。
【図３】マトリクスアレイシステムを示す図である。
【図４】本発明のモジュールのさまざまな主要構成部品の平面図および関係を示す図である。
【図５】光路軸に沿って一次光学素子を見た図である。
【図６】別の一次光学素子の図である。
【図７】さらに別の一次光学素子の図である。
【図８】２つの屈折光学素子を備えたシステムの光線トレースの一部を示す図である。
【図９】２つの反射光学素子を備えた別のシステムの光線トレースの一部を示す図である。
【図１０】１つの反射光学素子を備えたさらに別のシステムの光線トレースの一部を示す図である。
【図１１】１つの屈折光学素子を備えたシステムの光線トレースの一部を示す図である。
【図１２】光路軸に沿って見た水平放射拡散素子アセンブリの詳細図である。
【図１３】光路軸に沿って見た垂直放射拡散素子アセンブリの詳細図である。
【図１４】放射拡散素子を示す図である。
【図１５】光線トレースと放射拡散素子セグメントの前縁の断面図である。
【図１６】光線トレースと放射拡散素子セグメントの後縁の断面図である。
【図１７】光路中に部分的に配置された拡散セグメントを備えた二重屈折素子システムの光線トレースの一部を示す図である。
【図１８】光路中に部分的に配置された拡散セグメントを備えた二重反射素子システムの光線トレースの一部を示す図である。
【図１９】光路中に部分的に配置された拡散セグメントを備えた単一反射素子システムの光線トレースの一部を示す図である。
【図２０】光路中に部分的に配置された拡散セグメントを備えた単一屈折素子システムの光線トレースの一部を示す図である。
【図２１】本発明にしたがって構成された装置を示す図である。
【図２２】本発明にしたがって構成された別の装置を示す図である。
【符号の説明】
１０…光源
１２…反射器
１４…入射光線
１６，１６’，１６”…一次光学素子
１６１…レンズセグメント
１６１’，１６１”…反射セグメント
１６２，１６２’，１６２”…中心
１６３…焦線
１６３’，１６３”…オープンスペース
１８…拡散アセンブリ
１８０，１９０…拡散素子
１８０１，１９０１…拡散素子セグメント
１８０２，１９０２…中心
１８０３，１９０３…非拡散エリア
１８０４…フレーム
１８１…不規則性表面
２０，２０’…二次光学素子
２０１…レンズセグメント
２０１’…反射セグメント
２２…出射光線
２４…屈折光線
２６…焦点
２８…発散光線
３０…減少エリア
４８…入射光線
４９…屈折光
【図１】
0004272751.tif 000002
【図２】
0004272751.tif 000003
【図３】
0004272751.tif 000004
【図４】
0004272751.tif 000005
【図５】
0004272751.tif 000006
【図６】
0004272751.tif 000007
【図７】
0004272751.tif 000008
【図８】
0004272751.tif 000009
【図９】
0004272751.tif 000010
【図１０】
0004272751.tif 000011
【図１１】
0004272751.tif 000012
【図１２】
0004272751.tif 000013
【図１３】
0004272751.tif 000014
【図１４】
0004272751.tif 000015
【図１５】
0004272751.tif 000016
【図１６】
0004272751.tif 000017
【図１７】
0004272751.tif 000018
【図１８】
0004272751.tif 000019
【図１９】
0004272751.tif 000020
【図２０】
0004272751.tif 000021
【図２１】
0004272751.tif 000022
【図２２】
0004272751.tif 000023